(57)【要約】【課題】目的部位に対してより確実に薬液を吐出することができる薬液吐出具を提供する。【解決手段】薬液吐出具としての薬液噴霧具１０は、薬液Ｌが充填されたシリンジ１２の流出口２０に接続されて用いられ、該流出口２０から供給される薬液Ｌを噴霧するためのデバイスである。この薬液噴霧具１０は、流出口２０と嵌合可能な注入口２８が設けられた基部１６と、流出口２０から注入口２８へと供給される薬液Ｌを噴霧する噴霧孔である微小通路４０が設けられた噴霧ノズル１４と、基部１６と噴霧ノズル１４との間に設けられ、注入口２８に供給される薬液Ｌを噴霧ノズル１４へと流通させる流路３４が設けられた可撓性を有するチューブ部１８とを備える。【選択図】図２
2012029786.tif 000002
【特許請求の範囲】
【請求項１】
薬液が充填されたシリンジの流出口に接続されて用いられ、該流出口から供給される前記薬液を吐出するための薬液吐出具であって、
前記流出口と嵌合可能な注入口が設けられた基部と、
前記流出口から前記注入口へと供給される前記薬液を吐出する吐出孔が設けられた吐出ノズルと、
前記基部と前記吐出ノズルとの間に設けられ、前記注入口に供給される前記薬液を前記吐出ノズルへと流通させる流路が設けられた可撓性を有するチューブ部と、
を備え、
前記チューブ部は、その屈曲状態を保持することができる形状保持機能を有することを特徴とする薬液吐出具。
【請求項２】
請求項１記載の薬液吐出具において、
前記チューブ部には、前記屈曲状態を保持するための形状保持部材が設けられていることを特徴とする薬液吐出具。
【請求項３】
請求項２記載の薬液吐出具において、
前記形状保持部材は、前記チューブ部の外周面上に巻回され、若しくは前記チューブ部の外周壁面内に少なくとも一部が埋没して巻回されたコイルであるか、又は、前記チューブ部の前記流路に沿った壁面内に埋設された線状部材若しくは板状部材であることを特徴とする薬液吐出具。
【請求項４】
請求項１〜３のいずれか１項に記載の薬液吐出具において、
前記吐出孔は、流通方向が異なる複数の微小通路の下流側を集合させた集合流路を有することを特徴とする薬液吐出具。
【発明の詳細な説明】
【技術分野】
【０００１】
本発明は、シリンジに接続されて用いられ、該シリンジ内に充填された薬液を吐出するための薬液吐出具に関する。
【背景技術】
【０００２】
医療現場において、例えば、抗がん剤や放射線治療の副作用によって生じた口内炎（患部）の治療では、その鎮痛のため、非ステロイド系消炎鎮痛薬等の水溶液をスプレー容器によって口腔内全体にスプレーすることが行われている。また、例えば、鼻腔内の患部に対する治療に際しては、シリンジの先端に接続される薬液噴霧具（薬液吐出具）が用いられることがある（特許文献１〜３参照）。
【先行技術文献】
【特許文献】
【０００３】
【特許文献１】実開昭５８−４３４１５号公報
【特許文献２】実用新案登録第３０４７５２１号公報
【特許文献３】特開平８−４７５３０号公報
【発明の概要】
【発明が解決しようとする課題】
【０００４】
上記のようなスプレー容器やシリンジに接続される薬液噴霧具を用いた構成では、薬液を噴霧する噴霧ノズルが、容器やシリンジの一端に一体的に設けられている。このため、口腔内や鼻腔内の目標部位（患部）まで噴霧ノズルを届けることが難しく、該目標部位に薬液が確実に噴霧されているか判断できない状態で口腔内や鼻腔内の全体に薬液が噴射されることになる。その結果、患部に対する治療効果が低下し、また薬剤の過剰使用や患者の誤飲等を生じる可能性もある。
【０００５】
本発明はこのような従来の課題を考慮してなされたものであり、目的部位に対してより確実に薬液を吐出することができる薬液吐出具を提供することを目的とする。
【課題を解決するための手段】
【０００６】
本発明に係る薬液吐出具は、薬液が充填されたシリンジの流出口に接続されて用いられ、該流出口から供給される前記薬液を吐出するための薬液吐出具であって、前記流出口と嵌合可能な注入口が設けられた基部と、前記流出口から前記注入口へと供給される前記薬液を吐出する吐出孔が設けられた吐出ノズルと、前記基部と前記吐出ノズルとの間に設けられ、前記注入口に供給される前記薬液を前記吐出ノズルへと流通させる流路が設けられた可撓性を有するチューブ部とを備え、前記チューブ部は、その屈曲状態を保持することができる形状保持機能を有することを特徴とする。
【０００７】
このような構成によれば、シリンジに接続される基部と薬液を吐出する吐出ノズルとの間に、可撓性を有するチューブ部を設けたことにより、例えば、当該薬液吐出具を口内炎の治療薬の吐出用デバイスとして用いる場合に、口腔内の奥部や歯の裏側等、吐出ノズルをアプローチさせ難い位置にある目的部位（患部）に対しても、該チューブ部を口腔内の形状に応じて適宜撓ませて屈曲させつつ、円滑にアプローチすることができる。このため、目的部位に対して、薬液を確実に吐出することができる。しかも、前記チューブ部は、その屈曲状態を保持することができる形状保持機能を有するため、薬液吐出の目的部位の位置に応じて、チューブ部を所望の屈曲姿勢に変形させることができ、吐出ノズルによる薬液の噴射方向を所望の方向に一層確実に設定することができる。
【０００８】
前記チューブ部には、前記屈曲状態を保持するための形状保持部材が設けられることにより、前記形状保持機能が達成される構成であってもよい。該形状保持部材は、前記チューブ部の外周面上に巻回され、又は前記チューブ部の外周壁面内に少なくとも一部が埋没して巻回されたコイルや、前記チューブ部の前記流路に沿った壁面内に埋設された線状部材又は板状部材であると、チューブ部に形状保持機構を容易に付加することができる。
【０００９】
前記吐出孔は、流通方向が異なる複数の微小通路の下流側を集合させた集合流路を有する構成であると、より円滑に薬液を吐出することができる。
【発明の効果】
【００１０】
本発明によれば、シリンジに接続される基部と薬液を吐出する吐出ノズルとの間に、可撓性を有し、且つ、その屈曲状態を保持することができる形状保持機能を有するチューブ部を設ける。これにより、吐出ノズルをアプローチさせ難い位置にある目的部位に対しても、該チューブ部を目的部位の周辺形状に応じて適宜撓ませて屈曲させつつ、円滑にアプローチすることが可能となり、目的部位に対して、薬液を確実に吐出することができる。しかも、前記チューブ部は、その屈曲状態を保持することができる形状保持機能を有するため、薬液吐出の目的部位の位置に応じて、チューブ部を所望の屈曲姿勢に変形させることができ、吐出ノズルによる薬液の噴射方向を所望の方向に一層確実に設定することができる。
【図面の簡単な説明】
【００１１】
【図１】本発明の一実施形態に係る薬液噴霧具とシリンジとを示す分解斜視図である。
【図２】図１に示す薬液噴霧具をシリンジに接続した状態での側面図である。
【図３】図１に示す薬液噴霧具の一部断面側面図である。
【図４】図３中のＩＶ−ＩＶ線に沿う断面図である。
【図５】形状保持部材として線状部材を用いた構成例の断面図である。
【図６】薬液噴霧具を接続したシリンジによって口腔内の患部に対して薬液を噴霧する様子を示す説明図である。
【図７】チューブ部の流路を細径流路及び拡径流路で構成した構成例の一部断面側面図である。
【図８】形状保持部材としてコイルを用いた構成例の側面図である。
【図９】噴霧ノズルの第１変形例を示す側面断面図である。
【図１０】噴霧ノズルの第２変形例を示す側面断面図である。
【図１１】図１１Ａは、シリンジと薬液噴霧具の接続部にロック機構を設けた構成例の側面断面図であり、図１１Ｂは、図１１Ａに示すロック機構をロック状態とした側面断面図である。
【発明を実施するための形態】
【００１２】
以下、本発明に係る薬液吐出具について、この吐出具を接続するシリンジとの関係で好適な実施の形態を挙げ、添付の図面を参照しながら説明する。
【００１３】
図１は、本発明の一実施形態に係る薬液噴霧具１０と該薬液噴霧具１０を接続するシリンジ１２とを示す分解斜視図であり、図２は、図１に示す薬液噴霧具１０をシリンジ１２に接続した状態での側面図である。また、図３は、薬液噴霧具１０の一部断面側面図である。
【００１４】
本実施形態に係る薬液吐出具としての薬液噴霧具１０（以下、単に「噴霧具１０」ともいう）は、薬液Ｌが充填されたシリンジ１２の先端に接続されて用いられ、該薬液Ｌを先端の吐出ノズル（噴霧ノズル１４）から目的部位へと吐出（噴霧）するためのデバイスである。以下では、吐出ノズルの一例として薬液Ｌを噴霧可能な噴霧ノズル１４を適用した薬液噴霧具１０を例示して、本発明に係る薬液吐出具の構成例を説明する。
【００１５】
噴霧具１０は、例えば、口内炎の治療において、シリンジ１２に接続される基部１６から延在するチューブ部１８を患者の口腔内に挿入し、シリンジ１２から供給される薬液（治療薬）Ｌを噴霧ノズル１４から患部へと噴霧する医療用デバイスとして用いられる。薬液Ｌは、噴霧具１０の用途に応じて適宜選定すればよいが、例えば、非ステロイド系消炎鎮痛薬等の水溶液等を用いることができる。
【００１６】
以下、図３の側面視において、チューブ部１８の左側（基部１６側）を「基端（後端）」側、チューブ部１８の右側（噴霧ノズル１４側）を「先端」側と呼んで説明する。
【００１７】
図１及び図２に示すように、シリンジ１２は、縮径した流出口２０を先端に設けた外筒（シリンダ）２２と、外筒２２内で液密に摺動して薬液室を画成するガスケット２４と、先端に装着したガスケット２４を前後方向（軸方向）に移動させる押し子（プランジャロッド）２６とを備える。流出口２０は、外筒２２の内外で薬液Ｌを流通させるための開口であり、外筒２２の先端面から突出した先細りテーパ形状の凸部である。
【００１８】
図１〜図３に示すように、噴霧具１０は、シリンジ１２の流出口２０と嵌合可能な注入口２８が設けられた基部（コネクタ部）１６と、基部１６の先端から軸方向に延在する細径で長尺なチューブ部１８と、チューブ部１８の先端に設けられた噴霧ノズル１４とを備える。
【００１９】
基部１６は、当該噴霧具１０をシリンジ１２に接続する際、つまり注入口２８を流出口２０に嵌合する際に、使用者が指を掛けるフランジ３０を基端に有し、その中心に注入口２８が開口している。基部１６の内部には、注入口２８から連通する基部流路３２が軸方向に延在形成されている。
【００２０】
チューブ部１８は、基部１６の先端に連結固定された可撓性を有する管状部材であり、その内腔が基部流路３２に液密に連通される流路３４を形成している。従って、シリンジ１２の流出口２０から基部１６の注入口２８に供給された薬液Ｌは、基部流路３２から流路３４を介してチューブ部１８の先端側へと流れ、先端の噴霧ノズル１４へと供給される。流路３４は、チューブ部１８の内腔によって形成する以外にも、例えば、該内腔内に、別の細径なチューブ（図示せず）を２重管として挿通させた構成等であってよい。
【００２１】
チューブ部１８の壁面内部、つまり流路３４を画成する内壁面と外壁面との間には、基端から先端に向かう全長に渡って又はその一部に、板状部材（帯状部材）３６が埋設されている（図３及び図４参照）。板状部材３６は、ステンレスやアルミニウム等の金属薄板や、超高分子量ポリオレフィンやエチレン−α−オレフィン共重合体等の塑性変形が可能な樹脂薄板によって構成されることにより、屈曲された状態を保持可能な形状保持部材である。すなわち、形状保持部材である板状部材３６が可撓性を有するチューブ部１８の長手方向に沿って壁面内部に混入されていることにより、該チューブ部１８は、その屈曲状態を保持することができる形状保持機能を備えている（図２参照）。
【００２２】
なお、板状部材３６は、チューブ部１８を所望の形状に屈曲させ、その状態を保持するための形状保持部材として機能すればよいことから、板状ではなく、例えば、線状部材３７によって形成することもできる（図５参照）。線状部材３７を用いる場合には、前記形状保持機能を一層確実に担保するため、チューブ部１８の周方向に複数本（図５では４本の構成を例示）を等間隔で配置するようにしてもよい。勿論、板状部材３６も２枚以上設けてもよい。また、線状部材３７は、細い金属線等で構成可能であるため、例えば、チューブ部１８の外面上に貼り付けて用いることもできる。
【００２３】
噴霧ノズル１４は、チューブ部１８の先端に一体的に設けられた先細りの略円錐形状からなり、図３に示すように、流路３４と連通する先細りのノズル流路３８と、該ノズル流路３８から外壁面に貫通して開口する複数（図３では７本の構成を例示）の微小通路４０とを備える。各微小通路４０は、略放射状の異なる方向に向かって噴霧ノズル１４の外面に開口する噴霧孔である。従って、チューブ部１８の流路３４からノズル流路３８へ流れた薬液Ｌは、各微小通路４０から噴霧ノズル１４の周囲へと確実に噴霧される。
【００２４】
噴霧具１０の材質は、特に限定されないが、例えば、基部１６及び噴霧ノズル１４としては、ポリ塩化ビニル、ポリエチレン、ポリプロピレン、ポリアミド等の樹脂を用いるとよい。また、チューブ部１８は、可撓性を確保できる材質であればよく、例えば、ポリ塩化ビニル、ポリエチレン、ポリプロピレン、ポリアミド等の樹脂を用い、基部１６や噴霧ノズル１４よりも柔軟に構成されるとよい。
【００２５】
また、噴霧具１０の寸法は、例えば、チューブ部１８は、外径が０．５ｍｍ〜５．０ｍｍ程度、好ましくは１．０ｍｍ〜２．０ｍｍ程度であり、肉厚が０．１ｍｍ〜２．０ｍｍ程度、好ましくは０．５ｍｍ〜１．０ｍｍ程度であり、長さが５０ｍｍ〜３００ｍｍ程度、好ましくは５０ｍｍ〜１００ｍｍ程度、内腔となる流路３４の内径が０．３ｍｍ〜４．０ｍｍ程度、好ましくは１．０ｍｍ〜２．０ｍｍ程度の管状であるとよい。
【００２６】
チューブ部１８内に埋設される板状部材３６は、例えば、長さが５０ｍｍ〜３００ｍｍ程度、好ましくは５０ｍｍ〜１００ｍｍ程度、板厚が０．０５ｍｍ〜１．９ｍｍ程度、好ましくは０．５ｍｍ〜１．２ｍｍ程度、板幅が０．０５ｍｍ〜４ｍｍ程度、好ましくは０．５ｍｍ〜１．５ｍｍ程度であるとよく、略同様に、線状部材３７は、線径が０．１ｍｍ〜１．９ｍｍ程度、好ましくは０．５ｍｍ〜１．５ｍｍ程度、長さは板状部材３６と同等でよい。
【００２７】
噴霧ノズル１４は、例えば、長さが３ｍｍ〜２０ｍｍ程度、好ましくは５ｍｍ〜１０ｍｍ程度、微小通路４０は、例えば、内径が０．０１ｍｍ〜０．２ｍｍ程度、好ましくは０．０５ｍｍ〜０．１ｍｍ程度であるとよい。なお、チューブ部１８の寸法や噴霧ノズル１４の寸法は、薬液Ｌの種類や噴霧量、当該噴霧具１０の適用部位（口腔や鼻腔）等によって適宜最適に設定すればよい。
【００２８】
次に、以上のように構成される噴霧具１０を用いた薬液噴霧方法の一例について、図６を参照して説明する。図６は、当該噴霧具１０を接続したシリンジ１２によって口腔４２内の患部（口内炎）Ａに対して薬液Ｌを噴霧する様子を示す説明図である。
【００２９】
患部Ａの治療薬である薬液Ｌとしては、例えば、抗炎症作用、消毒作用又は保湿作用を有する薬剤が用いられ、これらの薬剤を単独で又は混合したものを薬液Ｌとして、シリンジ１２の外筒２２内に充填する。
【００３０】
次に、薬液Ｌが所定量充填されたシリンジ１２の流出口２０に噴霧具１０の注入口２８を嵌合させることで、シリンジ１２に噴霧具１０を取り付ける。そこで、押し子２６を多少押し込んで噴霧具１０の噴霧ノズル１４側まで薬液Ｌを供給するプライミングを行った後、図６に示すように、口腔４２内に噴霧ノズル１４及びチューブ部１８を挿入し、目的部位である患部Ａに噴霧ノズル１４先端を近接配置した後、押し子２６を押し込む。これにより、薬液Ｌをシリンジ１２から噴霧ノズル１４まで供給して、患部Ａ及びその周辺部に薬液Ｌを噴霧する治療を行うことができる。
【００３１】
この場合、本実施形態に係る噴霧具１０では、可撓性を持ち、所定の長尺寸法で形成されたチューブ部１８の先端に噴霧ノズル１４を設けている。このため、口腔４２内の奥部や歯の裏側等、噴霧ノズル１４をアプローチさせ難い位置にある目的部位（患部Ａ）に対しても、該チューブ部１８を口腔４２内の形状に応じて適宜撓ませて屈曲させつつ、円滑にアプローチすることができる。このため、目的部位に対して、薬液Ｌを確実に噴霧することができ、薬液Ｌが口腔４２内の全体に噴霧されることを防止することができる。
【００３２】
しかも、噴霧具１０では、形状保持部材である板状部材３６（線状部材３７）をチューブ部１８内に設けているため、チューブ部１８を所望の屈曲姿勢に設定し、噴霧ノズル１４による薬液Ｌの噴射方向を所望の方向に設定することができる。従って、上記のような口腔４２内の奥部や歯の裏側等、噴霧ノズル１４をアプローチさせ難い位置にある目的部位に対しても、歯や歯茎等を回避し得る形状にチューブ部１８を容易に変形させることができ、さらに患部に対する正面に噴霧ノズル１４を配置することができる。これにより、目的部位に対して、所望量の薬液Ｌを一層確実に噴霧して治療することが可能となり、薬液Ｌが口腔４２内の全体に噴霧され無駄を生じることをより確実に防止することができる。
【００３３】
このような薬液Ｌの無駄をさらに低減するため、例えば、図７に示すように、チューブ部１８内に延在形成される流路３４に代えて、基端側の大部分に細径な細径流路３４ａを設け、ノズル流路３８近傍の先端側にのみ拡径した拡径流路３４ｂを設けた構成とすることもできる。そうすると、基部１６や噴霧ノズル１４に比べて長尺なチューブ部１８における薬液Ｌの無駄（デッドボリューム）を小容量の細径流路３４ａによって可及的に低減することができる。
【００３４】
また、チューブ部１８に形状保持機能を付与する形状保持部材としては、上記の板状部材３６や線状部材３７以外のものであっても勿論よく、例えば、図８に示すように、板状部材３６に代えて、チューブ部１８の外周面の基端から先端に向かう全長に渡って又はその一部に、らせん状のコイル４４を巻回した構成とすることもできる。
【００３５】
コイル４４は、板状部材３６と同様な材質で形成可能であり、例えば、ステンレスやアルミニウム等の金属細線や、超高分子量ポリオレフィンやエチレン−α−オレフィン共重合体等の塑性変形が可能な樹脂細線によって構成されることにより、屈曲された状態を保持可能な形状保持部材である。このようなコイル４４が可撓性を有するチューブ部１８の外面に巻回されていることにより、該チューブ部１８は、その屈曲状態を保持することができる形状保持機能を備えることになる。コイル４４の寸法は、例えば、線径が０．１ｍｍ〜２．０ｍｍ程度、好ましくは０．５ｍｍ〜１．２ｍｍ程度で形成されるとよい。
【００３６】
コイル４４は、チューブ部１８の外面上に巻回された構成以外にも、例えば、チューブ部１８の壁面内に一部が埋没して巻回された構成や、板状部材３６と略同様に、チューブ部１８の壁面内部に完全に埋設された構成等であってもよい。
【００３７】
噴霧ノズル１４としては、上記した複数の微小通路４０がノズル外面に開口した構成以外であっても勿論よく、例えば、図９に示すように、流通方向が異なる複数の微小通路４６（図９では４本の構成を例示）の下流側（吐出側）を集合させることで、薬液Ｌの流れる方向を代え、これにより噴霧孔である集合流路４８から薬液Ｌを噴霧する噴霧ノズル１４ａとして構成とすることもできる。
【００３８】
さらに、図１０に示すように、チューブ部１８とは別体に構成された噴霧ノズル１４ｂをチューブ部１８の先端に装着する構成とすることもできる。噴霧ノズル１４ｂの基端側内面には、凹部５０が形成されると共に、チューブ部１８の先端側外面には、凹部５０に係合する凸部５２が形成され、これら凹部５０と凸部５２とが係合することで噴霧ノズル１４ｂがチューブ部１８の先端に嵌合固定されている。図１０では、噴霧ノズル１４ｂの先端に、段付き孔部からなる噴霧孔５４が形成された構成を例示しているが、該噴霧ノズル１４ｂの噴霧孔としては、図３や図９に示す微小通路４０や微小通路４６及び集合流路４８を備えた構成としてもよい。
【００３９】
このようにチューブ部１８の先端に嵌合可能な噴霧ノズル１４ｂを用いると、当該噴霧具１０の仕様や用途に応じて、チューブ部１８の先端に設ける噴霧ノズル（噴霧孔）の形状を適宜選定し装着することができ、当該噴霧具１０の生産性や汎用性が向上する。
【００４０】
なお、吐出ノズルとしては、上記したように先端の噴霧孔から薬液を噴霧する構成からなる噴霧ノズル１４、１４ａ、１４ｂ以外の構成であってもよく、例えば、シャワーのような微小流を先端の吐出孔から吐出する構成であってもよい。
【００４１】
ところで、当該噴霧具１０では、薬液Ｌを霧状に噴射するために又は微小流を吐出するために、先端の噴霧ノズル１４（１４ａ、１４ｂ）の噴霧孔は非常に細径に形成されており、このためシリンジ１２から吐出される薬液Ｌは所定の高い圧力（抵抗）を発生することになる。そこで、噴霧具１０とシリンジ１２との接続部について、図３に示される通常のテーパ嵌合構造（ルアーテーパ嵌合構造）以外にも、例えば、図１１Ａ及び図１１Ｂに示されるロック機構５６を備えたテーパ嵌合構造（ルアーロック構造）とすることも有効である。
【００４２】
図１１Ａ及び図１１Ｂに示すように、ロック機構５６は、シリンジ１２の流出口２０の外周側に隙間５８を有して配置された筒部６０の内周面に形成された雌ねじ６２と、基部１６の基端側外周面にフランジ３０（図３参照）に代えて形成された雄ねじ６４とから構成されている。シリンジ１２側の雌ねじ６２に対し、噴霧具１０側の雄ねじ６４が螺合されることにより、シリンジ１２と噴霧具１０との間をより確実に嵌合・締結することができる。なお、このロック機構５６を設けたルアーロック構造は、特に、図７に示す細径流路３４ａを有する構成に適用されると一層効果的である。細径流路３４ａにより、上記したシリンジ１２から吐出される薬液Ｌの圧力（抵抗）が一層高くなるからである。
【００４３】
本発明は、上記の実施形態に限らず、本発明の要旨を逸脱することなく、種々の構成乃至工程を採り得ることは勿論である。
【００４４】
例えば、薬液噴霧具１０を接続するシリンジとしては、図１に示すシリンジ１２以外の構成であっても勿論よく、内部に充填された薬液Ｌを噴霧具１０へと所定圧力で確実に送液可能な送液機構を有する構成のものであればよい。
【００４５】
当該薬液噴霧具１０の用途は上記した口内炎の治療に限定されるものでは勿論なく、例えば、鼻腔内の炎症部位（患部）に薬剤を噴霧するデバイスや、生体内にカテーテルや内視鏡等のチューブを挿入する際、或いは経鼻チューブを挿入する際の麻酔剤の噴霧用デバイスとしても用いることができ、また、これら局所麻酔薬の投与以外の用途、例えば、抗アレルギー薬やワクチン等の投与に用いることもでき、さらには、内視鏡下手術時に薬液を噴霧するデバイスとして用いることもできる。
【符号の説明】
【００４６】
１０…薬液噴霧具                        １２…シリンジ
１４、１４ａ、１４ｂ…噴霧ノズル        １６…基部
１８…チューブ部                        ２０…流出口
２８…注入口                            ３４…流路
３６…板状部材                          ３７…線状部材
４０、４６…微小通路                    ４４…コイル
４８…集合流路                          ５６…ロック機構
【図１】
2012029786.tif 000003
【図２】
2012029786.tif 000004
【図３】
2012029786.tif 000005
【図４】
2012029786.tif 000006
【図５】
2012029786.tif 000007
【図６】
2012029786.tif 000008
【図７】
2012029786.tif 000009
【図８】
2012029786.tif 000010
【図９】
2012029786.tif 000011
【図１０】
2012029786.tif 000012
【図１１】
2012029786.tif 000013